(57)【要約】【課題】映像表示装置と映像視聴用眼鏡を有する映像システムにおいて、光学フィルタを開閉する毎に同期信号を送受信していたのでは、同期信号の送受信を高頻度に行う必要がある。【解決手段】映像表示装置は、同期信号を送信する際に、光学フィルタを開けるタイミングで同期信号を送信するとともに、その同期信号に光学フィルタを開けている時間情報も含めて送信する。映像表示装置は、同期信号の受信で光学フィルタを開けるとともに、同期信号に含まれている開き時間情報だけ光学フィルタを開け、時間経過後は光学フィルタを閉める。これにより、同期信号の送受信をより効率的におこなうことが可能となる。【選択図】図２
2011015191.tif 000002
【特許請求の範囲】
【請求項１】
映像を表示する表示部と、
前記表示部に表示する映像と同期し、前記映像との同期制御に利用する同期制御情報を該信号の連続有効時間の長さで表す、同期信号を生成する同期信号生成部と、
前記同期信号を該装置の外部へ送信する同期信号送信部と、
を備える映像表示装置。
【請求項２】
前記映像は、第１の映像と第２の映像を有し、
前記第１の映像は、立体映像の左目映像又は右目映像のいずれかであり、
前記第２の映像は、前記第１の映像に対応する前記立体映像の右目映像又は左目映像のいずれかである、
請求項１に記載の映像表示装置。
【請求項３】
映像と同期した外部同期信号を受信する外部同期信号受信部と、
前記外部同期信号と、前記外部同期信号の連続有効期間の長さで表される同期制御情報に基づいて、前記映像に同期する内部同期信号を生成する内部同期信号生成部と、
左目及び右目へそれぞれ透過する光を調整する光学フィルタ部と、
前記内部同期信号に基づいて、前記光学フィルタ部を制御する光学フィルタ制御部と、
を備える映像視聴用眼鏡。
【請求項４】
前記映像は、第１の映像と第２の映像を有し、
前記第１の映像は、立体映像の左目映像又は右目映像のいずれかであり、
前記第２の映像は、前記第１の映像に対応する前記立体映像の右目映像又は左目映像のいずれかである、
請求項３に記載の映像視聴眼鏡。
【請求項５】
映像表示装置と該映像表示装置が表示した映像の視聴を補助する映像視聴用眼鏡を具備する映像システムであって、
前記映像表示装置は、
映像を表示する表示部と、
前記表示部に表示する映像と同期し、前記映像との同期制御に利用する同期制御情報を該信号の連続有効時間の長さで表す、外部同期信号を生成する同期信号生成部と、
前記外部同期信号を該装置の外部へ送信する同期信号送信部と、
を有し、
前記映像視聴用眼鏡は、
前記映像と同期した外部同期信号を受信する外部同期信号受信部と、
前記外部同期信号と、前記外部同期信号の連続有効期間の長さで表される同期制御情報に基づいて、前記映像に同期する内部同期信号を生成する内部同期信号生成部と、
左目及び右目へそれぞれ透過する光を調整する光学フィルタ部と、
前記内部同期信号に基づいて、前記光学フィルタ部を制御する光学フィルタ制御部と
を有する、
映像システム。
【請求項６】
前記映像は、第１の映像と第２の映像を有し、
前記第１の映像は、立体映像の左目映像又は右目映像のいずれかであり、
前記第２の映像は、前記第１の映像に対応する前記立体映像の右目映像又は左目映像のいずれかである、
請求項５に記載の映像システム。
【発明の詳細な説明】
【技術分野】
【０００１】
映像表示装置に表示された映像を、映像視聴用眼鏡を通じて視聴する技術に関する。特に、映像視聴用眼鏡が、映像表示装置が表示する映像を選択して視聴する技術に関するものである。
【背景技術】
【０００２】
特許文献１には、立体映像表示装置から液晶シャッタ眼鏡へ送信される左右映像の切り替わりを示す信号が、なんらかの理由により遮断された場合に、立体視不能の状態に陥り、画面がちらついて見える問題等を解決するものである。特許文献１に示された発明では、液晶シャッタ眼鏡は立体映像表示装置から受信した切り替えを示す信号に基づいて、内部で自走用の切り替え信号を生成して液晶シャッタの切り替え制御を行う。その結果、一時的に立体映像表示装置からの信号を受信できなくても、液晶シャッタの切り替えを制御することが可能となり、上記の問題等を解決するものである。また、同時に、立体映像表示装置から送信される左右映像の切り替えを示す信号の早さ（クロック）が複数ある場合に、上記の液晶シャッタ眼鏡であれば、複数のクロックにも対応可能というものである。
【０００３】
特許文献２には、ＰＤＰ（Ｐｌａｓｍａ  Ｄｉｓｐｌａｙ  Ｐａｎｅｌ）と眼鏡を用いて立体視像を視聴する際に、眼鏡のシャッタ切り替えの応答速度が遅いため、サブフィールドの開始とともにシャッタの切り換えを行っていたのでは、ＰＤＰの発光をシャッタで遮ってしまうという課題がある。そのため、眼鏡の左右のシャッタ切り替えを、サブフィールドの無表示期間に行う技術が開示されている。
【先行技術文献】
【特許文献】
【０００４】
【特許文献１】特開平１１−９８５３８号公報
【特許文献２】特開２０００−３６９６９号公報
【発明の概要】
【発明が解決しようとする課題】
【０００５】
しかし、特許文献１に記載のメガネは、立体映像表示装置から同期信号を受信するものの、この同期信号により左右のシャッタを切り替えるだけであり、より高度な制御をおこなうための情報を立体映像表示装置から得ることはできない。また、特許文献２に記載の眼鏡は、無表示期間に左右のシャッタ切り替えをおこなうものであり、より高度なシャッタ制御をおこなうための情報をＰＤＰ等から得る方法について示されていない。
【０００６】
そこで、本出願では、映像表示装置から映像視聴用眼鏡へ同期制御に関する情報を、映像表示装置から映像視聴用眼鏡へ送信することを目的とするものである。これにより、映像表示装置と映像視聴用眼鏡は、より高精度な同期制御を行うことが可能となる。
【課題を解決するための手段】
【０００７】
本出願の映像表示装置は、映像を表示する表示部と、前記表示部に表示する映像と同期し、前記映像との同期制御に利用する同期制御情報を該信号の連続有効時間の長さで表す、同期信号を生成する同期信号生成部と、前記同期信号を該装置の外部へ送信する同期信号送信部と、を備えるものである。
【０００８】
本出願の映像視聴用眼鏡は、映像と同期した外部同期信号を受信する外部同期信号受信部と、前記外部同期信号と、前記外部同期信号の連続有効期間の長さで表される同期制御情報に基づいて、前記映像に同期する内部同期信号を生成する内部同期信号生成部と、左目及び右目へそれぞれ透過する光を調整する光学フィルタ部と、前記内部同期信号に基づいて、前記光学フィルタ部を制御する光学フィルタ制御部と、を備えるものである。
【０００９】
また、本出願の映像システムは、映像表示装置と該映像表示装置を具備し、前記映像表示装置は、映像を表示する表示部と、前記表示部に表示する映像と同期し、前記映像との同期制御に利用する同期制御情報を該信号の連続有効時間の長さで表す、外部同期信号を生成する同期信号生成部と、前記外部同期信号を該装置の外部へ送信する同期信号送信部と、を有し、前記映像視聴用眼鏡は、前記映像と同期した外部同期信号を受信する外部同期信号受信部と、前記外部同期信号と、前記外部同期信号の連続有効期間の長さで表される同期制御情報に基づいて、前記映像に同期する内部同期信号を生成する内部同期信号生成部と、左目及び右目へそれぞれ透過する光を調整する光学フィルタ部と、前記内部同期信号に基づいて、前記光学フィルタ部を制御する光学フィルタ制御部と、を有する、ものである。
【００１０】
上記の映像表示装置、映像視聴用眼鏡、映像システムにおいて、前記映像は、第１の映像と第２の映像を有し、前記第１の映像は、立体映像の左目映像又は右目映像のいずれかであり、前記第２の映像は、前記第１の映像に対応する前記立体映像の右目映像又は左目映像のいずれかであってもよい。
【発明の効果】
【００１１】
本出願の発明により、映像表示装置と映像視聴用眼鏡の同期信号に同期制御情報を含めることが可能となる。これにより、映像表示装置と映像視聴用眼鏡でより高精度な同期制御を行うことが可能となる。
【図面の簡単な説明】
【００１２】
【図１】映像システムの概略を示す図
【図２】映像システムのハードウェア構成を示す図。
【図３】映像表示装置の機能構成図
【図４】映像視聴用眼鏡の機能構成図
【図５】第１の実施の形態における同期信号と光学フィルタ制御との関係を示す図
【図６】映像表示装置と映像視聴用眼鏡間で送受信する同期信号の種類を示す図
【図７】同期信号に含める同期制御情報の例を示す図
【図８】受信した同期信号から同期制御に必要な情報を解析するフローチャート
【図９】第２の実施の形態における同期信号と光学フィルタ制御との関係を示す図
【図１０】第３の実施の形態における同期信号と光学フィルタ制御との関係を示す図
【図１１】第３の実施の形態における同期信号に含める同期制御情報の例を示す図
【図１２】同期信号の前後に信号検出、信号送信終了のパルスを付加した場合の例を示す図
【発明を実施するための形態】
【００１３】
（第１の実施の形態）
＜１．映像表示システムの構成＞
図１は映像表示装置と、映像表示装置が表示した映像を視聴する際に用いる映像視聴用眼鏡を備えた映像表示システムを示す図である。本実施の形態では、映像表示装置が表示面に表示する映像を、視聴者が映像視聴用眼鏡を通して見ることで、立体映像を視聴できるケースを例として説明する。
【００１４】
本実施の形態で説明する映像表示システムでは、映像表示装置１００が、その表示面に左目用の映像と右目用の映像を、例えば１２０Ｈｚ等の周期で、交互に表示する。映像視聴用眼鏡１２０は、映像表示装置１００の表示面に出力される映像と同期して、映像視聴用眼鏡１２０の左目に入射する光と右目に入射する光を光学フィルタで制御する。映像表示装置１００が表示する左目用の映像と右目用の映像では、視差の分だけ映像が異なる内容である。視聴者は、左目と右目で視聴する映像から視差を擬似的に知覚し、映像表示装置１００が表示する映像が立体的な映像であると感じる。
【００１５】
より具体的には、映像表示装置１００は、その表示面から立体映像（３Ｄ映像）等の所定の処理を施された映像を出力する。映像表示装置１００の同期信号送信部１１０からは、映像表示装置１００の表示面に出力される映像と同期する信号（同期信号）が送信される。映像視聴用眼鏡１２０は、同期信号送信部１１０からの同期信号を、同期信号受信部１３０で受信する。映像視聴用眼鏡１２０は、この同期信号に基づいて、左右の目へ入射する光に所定の光学処理を施す。この光学処理とは、例えば、同期信号送信部１１０からの同期信号に同期して、左右の光学フィルタを開閉するものである。つまり、映像表示装置１００が、表示面に左目用の映像を表示している際には、映像視聴用眼鏡１２０の右目へ入射する光を遮光（減光）し、左目へ入射する光を透過（増光）させる。映像表示面に右目の映像が表示される際は、光学フィルタは左右で上記の逆の動作を行う。
【００１６】
これにより、映像視聴用眼鏡をつけた視聴者は、視聴する映像が立体的な映像であると感じる
なお、上記の説明では、左目用と右目用それぞれの映像の表示周期を１２０Ｈｚの場合を例として説明したが、表示周期はこれに限定されるものではない。他の周期として、例えば９６Ｈｚ、１００Ｈｚ、１４４Ｈｚなど他の周期をもちいるものであってもよい。これらの周期は、表示する映像の種類等に応じてかえるものであってもよい。
【００１７】
図２に映像表示装置１００と映像視聴用眼鏡１２０のハードウェア構成例を示す。映像表示装置１００は、復号用ＩＣ２００と、映像信号処理ＩＣ２０１と、送信制御ＩＣ２０２と、ＣＰＵ２０３と、メモリ２０４と、クロック２０５と、ディスプレイパネル２０６と、赤外線発光素子２０７と、を備える。
【００１８】
復号用ＩＣ２００は、入力される符号化された映像信号を復号化して映像データを所定の様式で出力するものである。映像の符号化には、ＭＰＥＧ（Ｍｏｔｉｏｎ  Ｐｉｃｔｕｒｅ  Ｅｘｐｅｒｔｓ  Ｇｒｏｕｐ）−２や、ＭＰＥＧ−４、Ｈ２６４等の方式がある。
【００１９】
映像信号処理ＩＣ２０１は、復号ＩＣ２００からの映像データを立体映像として表示するために映像信号の処理をするものである。具体的な処理内容としては、復号ＩＣ２００で復号された映像から左目用の映像と右目用の映像を検出してそれを、時間的に交互に並べ換える、又は復号ＩＣ２００が出力した映像から自動的に左目用と右目用の映像を生成し、それをディスプレイパネルに適合した信号に変換する等、立体映像の表示に関わる信号処理を行う。そして、映像信号処理ＩＣ２０１は、ディスプレイパネル２０６の信号入力方式に適合した出力信号を生成する。
【００２０】
なお、映像信号処理ＩＣ２０１は、上記の処理以外の処理を行うものであっても良い。例えば、ディスプレイパネルの特性に応じて、表示する映像の色彩を調整する、又は、復号ＩＣ２００で生成された映像のフレーム間の映像を補間することにより、映像のフレームレートを上げる等の処理をさらに行うものであっても良い。
【００２１】
送信制御ＩＣ２０２は、映像信号処理ＩＣ２０１が生成した左目用及び右目用の映像と同期する同期信号を生成し、それを後述する赤外線発光素子２０７へ出力する。
【００２２】
ＣＰＵ２０３は映像表示装置１００全体を制御するものである。ＣＰＵ２０３は、復号ＩＣ２００や映像信号処理ＩＣ２０１等の映像表示装置１００を構成する構成部を制御することで全体を制御する。ＣＰＵ２０３は、メモリ２０４に記録されたプログラムや、外部からの入力（図示せず）等に従って上記の処理を行う。
【００２３】
メモリ２０４はＣＰＵ２０３が実行するプログラムやプログラム実行時に発生する一時データを記録する領域として利用される。メモリ２０４は、揮発性のＲＡＭ（Ｒａｎｄｏｍ  Ａｃｃｅｓｓ  Ｍｅｍｏｒｙ）や不揮発性のＲＯＭ（Ｒｅａｄ  Ｏｎｌｙ  Ｍｅｍｏｒｙ）を用いるものであってもよい。
【００２４】
クロック２０５は、ＣＰＵ２０３等や他の構成部品へ各ＩＣ等の動作基準となるクロック信号を生成し、供給する。
【００２５】
ディスプレイパネル２０６は、映像信号処理ＩＣから出力された映像信号を表示面に表示する。ディスプレイパネル２０６には、従来からのＣＲＴ（Ｃａｔｈｏｄｅ  Ｒａｙ  Ｔｕｂｅ）方式や、それ以外にも液晶素子を用いたＬＣＤ（Ｌｉｑｕｉｄ  Ｃｒｙｓｔａｌ  Ｄｉｓｐｌａｙ）、その他ＰＤＰや有機ＥＬ（Ｅｌｅｃｔｒｏ−Ｌｕｍｉｎｅｓｃｅｎｃｅ）を用いたもの等各種の表示方式を利用したものがある。
【００２６】
赤外線発光素子２０７は、送信制御ＩＣからの制御により同期信号を外部へ赤外線を用いて出力するものである。
【００２７】
なお、本実施の形態は、赤外線により映像表示装置１００と映像視聴用眼鏡１２０が同期を取る方法を示すが、これに限定するものではない。有線信号、無線信号、超音波等、他の伝達手段を用いて映像表示装置１００と映像視聴用眼鏡１２０が同期を取るものであってもよい。
【００２８】
映像視聴用眼鏡１２０は、ＣＰＵ２２０と、メモリ２２１と、クロック２２２と、赤外線受光素子２２３と、光学フィルタ２２４と、を備える。
【００２９】
ＣＰＵ２２０は、映像視聴用眼鏡１２０全体を制御するものである。ＣＰＵ２２０は、メモリ２２１等に記録されたプログラムや外部からの入力（図示せず）に従って視聴用眼鏡１２０を制御する。
【００３０】
メモリ２２１は、ＣＰＵ２２０が実行するプログラムのデータの記録や、プログラム実行時の一時データを保持する場所として用いられる。
【００３１】
クロック２２２は、映像視聴用眼鏡１２０を構成する他の構成部品等へ、動作の基準となるクロック信号を供給する。クロック信号は、必要に応じて分周、逓倍したものであってもよい。
【００３２】
赤外線受光素子２２３は、映像表示装置１００が赤外線発光素子２０７から送信した同期信号を受信するための受光部分である。なお、本実施の形態では、赤外線を用いた場合を例として説明しているが、映像表示装置１００からの同期信号が無線で送受信される場合は、赤外線受光素子２２３を、アンテナやチューナといった無線受信に必要な構成要素に置き換えることで、同様の機能を実現することは可能である。
【００３３】
光学フィルタ２２４は、利用者が眼鏡を着用した際に、利用者の左目、及び右目の前方に配され、左目及び右目へ入射する光を調整する。光学フィルタ２２４は、ＣＰＵ２２０の制御により左目と右目の動作を適切に行うことで、眼鏡の着用者に所望の光学的効果を生じさせる。
【００３４】
本実施の形態では、一例として、図２に示すハードウェア構成を用いて説明するが、これに限定するものではない。例えば、復号ＩＣ２００、映像信号処理ＩＣ２０１等の複数のＩＣが一体化されたＩＣで実現されたものであってもよい。また、ＣＰＵ２０３が実行するプログラムの処理をＰＬＤ（Ｐｒｏｇｒａｍｍａｂｌｅ  Ｌｏｇｉｃ  Ｄｅｖｉｃｅ）やＤＳＰ（Ｄｉｇｉｔａｌ  Ｓｉｇｎａｌ  Ｐｒｏｃｅｓｓｏｒ）等を用いて実現するものであってもよい。
【００３５】
また、図２に示した例では映像表示装置１００が赤外線発光素子２０７を備えている場合を例として説明したが、本実施の形態はこれに限定するものではない。例えば、送信制御ＩＣ２０２と赤外線発光素子２０７を、同期信号送出装置とした別の装置として実現するものであってもよい。この場合、同期信号送出装置は、映像表示装置２０１から入力される情報に基づいて、同期信号を映像視聴用眼鏡１２０へ出力する。
【００３６】
図３に映像表示装置１００の機能構成図を示す。映像表示装置１００は、映像復号部３００と、Ｌ／Ｒ信号分離部３０１と、立体信号処理部３０２と、映像表示部３０３と、同期信号生成部３０４と、送信制御部３０５と、同期信号送信部３０６と、を備える。
【００３７】
映像復号部３００は、入力される符号化された映像信号を復号するものである。図２のハードウェア構成においては、復号ＩＣ２００に該当する。
【００３８】
Ｌ／Ｒ信号分離部３０１は、映像復号部３００が復号した映像信号から左目用と右目用の映像信号を生成、若しくは分離をする。
【００３９】
立体信号処理部３０２は、表示する映像表示部３０３の特性等に応じて、Ｌ／Ｒ信号分離部３０１で分離された左目用及び右目用の映像信号を調整する。例えば、映像表示部３０３の表示面の大きさに応じて、左目用と右目用の映像の視差を調整する処理等がある。
【００４０】
同期信号生成部３０４は、Ｌ／Ｒ信号分離部３０１が生成した左目用及び右目用の映像と同期した同期信号を生成する。この際、映像表示部３０３の特性等に応じて、生成する同期信号の種類や生成タイミングも調整する。同期信号については、後述する。
【００４１】
Ｌ／Ｒ信号分離部３０１と、立体信号処理部３０２と、同期信号生成部３０４とは、図２のハードウェア構成において、映像信号処理ＩＣ２０１に該当する。
【００４２】
映像表示部３０３は、立体信号処理部３０２によって処理された映像信号を映像として表示する。図２のハードウェア構成において、ディスプレイパネル２０６に該当する。
【００４３】
同期信号送信部３０６は、同期信号生成部３０４で生成された同期信号を、後述する送信制御部３０５からの制御に従って、外部へ送信する。同期信号送信部３０６は、図２のハードウェア構成において、赤外線発光素子２０７に該当する。
【００４４】
送信制御部３０５は、送信する同期信号のデータ量や、必要があれば間歇送信等の送信間隔制御も行う。送信制御部３０５は、図２のハードウェア構成において、送信制御ＩＣ２０２に該当する。
【００４５】
図４に映像視聴用眼鏡１２０の機能構成図を示す。映像視聴用眼鏡１２０は、外部同期信号受信部４００と、同期信号検出部４０１と、同期信号解析部４０２と、同期情報記憶部４０３と、内部同期信号生成部４０４と、光学フィルタ制御部４０５と、光学フィルタ部４０６と、を備える。
【００４６】
外部同期信号受信部４００は、映像表示装置１００から赤外線で送信された同期信号を受信する。受光した赤外線に応じて、電気信号を後述の同期信号検出部４０１へ出力する。図２のハードウェア構成においては、赤外線受光素子２２３に該当する。なお、図２のハードウェア構成においても説明したが、本実施の形態では赤外線を用いた場合を例に挙げて説明するが、同期信号の送受信方法を赤外線に限定するものではない。無線等を送受信手段として用いるものであっても良い。
【００４７】
同期信号検出部４０１は、外部同期信号受信部４００が受信した赤外線から生成した電気信号の同期信号を検出する。具体的には、所定の電気波形等を持つ信号を同期信号として検出する。
【００４８】
同期信号解析部４０２は、同期信号検出部４０１が検出した同期信号に基づいて、後述する光学フィルタ部４０６を動作させるための時間間隔等の情報を解析する。光学フィルタ部４０６を動作させるための時間間隔情報等の情報を解析するとは、例えば、左目用と右目用のフィルタの開閉タイミングの情報等である。この解析については後述する。
【００４９】
同期信号検出部４０１と同期信号解析部４０２は、図２のハードウェア構成において、ＣＰＵ２２０が実行するプログラムの一部に該当する。
【００５０】
同期情報記憶部４０３は、同期信号解析部４０２が同期信号に基づいて解析した、光学フィルタ部の動作内容に関する制御情報を記録・保持する。図２のハードウェア構成において、メモリ２２１に該当する。ＣＰＵ２２０が当該情報をメモリ２２１に記録する。
【００５１】
内部同期信号生成部４０４は、同期情報記憶部４０３に記録された同期情報、又は、同期信号解析部４０２が解析した同期情報（時間間隔情報等）に基づいて、映像視聴用眼鏡１２０内部で同期信号を生成する。内部同期信号生成部４０４は、図２のハードウェア構成において、ＣＰＵ２２０とクロック２２２に該当する。
【００５２】
光学フィルタ制御部４０５は、映像視聴用眼鏡１２０の左目と右目用に設けられている光学フィルタ部４０６の動作制御、例えば光学フィルタを透過する光の量を調整する等の制御、を行う。光学フィルタ制御部４０５は、図２のハードウェア構成において、ＣＰＵ２２０が実行する光学フィルタ制御用のプログラム、又は、後述の光学フィルタ部を駆動する駆動回路等に該当する。
【００５３】
光学フィルタ部４０６は、映像視聴用眼鏡１２０の左目及び右目それぞれに設けられ、左右の目に入射する透過光を調整する光学的なフィルタである。光学フィルタには、透過する光の量を調整するものや、透過する光の偏向を調整するもの等様々な種類がある。また、光学フィルタには、液晶素子を用い、当該液晶素子を制御することで、透過する光の量を調整するもの等がある。光学フィルタ部４０６は、図２のハードウェア構成において、光学フィルタ２２４に該当する。
【００５４】
本実施の形態では、映像表示装置１００に表示される映像が左目用の映像と右目用の映像が交互に変わる場合を例として説明する。そのため、光学フィルタ部４０６の動作としては、左目用と右目用の光学フィルタが、交互に透過する光の量を減光、増光するシャッタ的な動作をする。なお、本実施の形態ではこのような事例を用いて説明するが、光学フィルタ部４０６の動作をこれに限定するものではない。他の例としては、右目と左目で偏光方向をかえるような光学フィルタであってもよい。つまり、映像表示装置１２０は、映像表示内容と同期して透過する光を調整できる光学フィルタであれば、どのような種類であってもよい。
【００５５】
本実施の形態では、図３及び図４に示した機能構成を用いて説明するが、本発明はこれに限定するものではない。例えば、同期信号送信部３０６と映像表示部３０３を一つの映像表示装置１００に包含するものとして説明したが、これらを別の装置として実現するものであってもよい。
【００５６】
また、図２、図３及び図４で示したハードウェア構成と機能構成の対応関係は、本実施の形態で説明のために用いる具体例としての対応関係であり、これに限定するものではない。他のハードウェア構成、他の機能構成であってもよい。
【００５７】
＜２．映像表示装置から映像視聴用眼鏡への同期信号の送信＞
図５は、映像表示装置１００が表示する映像と、映像表示装置１００から映像視聴用眼鏡１２０へ送信される同期信号、及び、それを受信した映像視聴用眼鏡１２０の内部動作の関係を示した図である。
【００５８】
図５（Ａ）は、映像表示装置１００の映像表示部３０３に表示される映像が、時間とともに左目用のフレーム（左目フレーム）と右目用のフレーム（右目フレーム）が交互に表示されることを示す図である。図５（Ｂ）は、映像表示部３０３に表示されるフレームと同期して映像表示装置１００の同期信号送信部３０６から同期信号が送信されることを示す図である。図５（Ｃ）は、映像視聴用眼鏡１２０が、外部から受信した同期信号に基づいて内部生成する同期信号を示す図である。図５（Ｄ）、図５（Ｅ）は、内部同期信号に従って、映像視聴用眼鏡１２０の光学フィルタ部４０６の左右の光学フィルタを動作させることを示す図である。
【００５９】
映像表示装置１００は、映像表示部３０３に表示する映像と同期した同期信号を生成する。図３を用いて説明すると、Ｌ／Ｒ信号分離部３０１は、映像復号部３００が復号した映像信号から左目フレームと右目フレームの映像を分離し、それを映像表示部３０３の表示形式に応じた方式に整形する。例えば、映像表示部３０３が左目フレームと右目フレームを交互に表示する場合には、Ｌ／Ｒ信号分離部３０１は、映像復号部３００が復号した映像信号から対応する左目フレームと右目フレームを交互に表示できるように並び替える。
【００６０】
同期信号生成部３０４は、Ｌ／Ｒ信号分離部３０１が並べた左右のフレーム順序に応じて、同期信号を生成する。図５（Ａ）の例では、左目フレーム５０１が先に表示され、続いて、当該左目フレーム５０１に対応する右目フレーム５０２が表示される。左右のフレームが図５（Ａ）のように出力される場合、同期信号生成部３０４は、図５（Ｂ）に示すような同期信号を生成する。
【００６１】
図５（Ｂ）では、図５（Ａ）に示す左右のフレームの表示順序、表示タイミングに従って、同期信号が生成され、映像表示装置１００から出力される様子が示されている。映像表示装置１００は、左目フレーム５０１が映像表示部３０３の表示面に表示され、映像視聴用眼鏡１２０の光学フィルタ部４０６の左目フィルタを開ける（透過する光量を増大させる）タイミングで生成した同期信号５０４を送信する。
【００６２】
映像表示装置１００は、左目フレーム５０１の表示が終了すると、それに続く右目フレーム５０２を映像表示部３０３に表示する。映像表示装置１００は、右目フレーム５０４の場合と同様に、映像表示部３０３の表示面に右目フレームが表示され、映像視聴用眼鏡１２０の光学フィルタ部４０６の右目フィルタを透過する光量を増大させるタイミングで同期信号５０５を送信する。
【００６３】
映像表示装置１００は、上記のように右目の同期信号５０５を送信した後は、それに続く左目フレーム５０３に対応する同期信号５０６を出力する。このように映像表示装置１００は、左目、右目それぞれに対応するフレームの映像表示に対応して、映像視聴用眼鏡１２０の光学フィルタを制御し、透過する光量を増大させるタイミング（光学フィルタを開ける制御を行う時期）を出力する。
【００６４】
＜３．同期信号の種類について＞
図６は映像表示装置１００の同期信号送信部３０６から出力される同期信号にはその信号の波形等に応じて、同期信号を識別することが可能である。
【００６５】
図６（Ａ）は、複数の同期信号が、パルスの数によって識別される場合の図である。例えば、パルスが一つの同期信号を第１の同期信号、パルスが２つの同期信号を第２の同期信号といったように、パルスの数だけ種類の異なる同期信号を用いることが可能となる。映像視聴用眼鏡の同期信号解析部４０２は、連続して受信するパルスの数をカウントすることで複数種類の同期信号を識別することが可能である。
【００６６】
図６（Ｂ）は、複数の同期信号が、パルスの時間幅、つまり赤外線を用いた場合の例では赤外線が点等状態の持続時間の長さ、によって識別される例を示したものである。この場合も、パルスの時間幅が最も短いもの（図６（Ｂ）の６０１）を第１の同期信号、その次に長いものを第２の同期信号（図６（Ｂ）の６０２）といったように用いることが可能である。同期信号解析部４０２は、受信した同期信号が継続して有効となっている時間を測定することで、複数種類の同期信号を識別することが可能である。
【００６７】
図６（Ｃ）は、複数の同期信号が、連続する２つのパルスの間の時間間隔で識別される例を示したものである。２つのパルスの時間間隔６１１が最も短いものが、第１の同期信号、その次に長い時間間隔６１２をもつものが第２の同期信号といったように解釈する。同期信号解析部４０２は、この時間間隔を測定することで、複数の同期信号を識別することが可能である。
【００６８】
図６（Ｄ）は、複数の同期信号が、複数のパルスの組み合わせで識別される例を示したものである。図６（Ｄ）の例では、５つのパルスの存在の有無の組み合わせにより、複数の同期信号が識別される。第１の同期信号は、５つのパルスの先頭のパルスが有効で、残りの４つのパルスが無効となる場合。第２の同期信号は、先頭の２つのパルスが有効で残りの３つのパルスが有効となる場合。第３の同期信号は先頭と３番目のパルスが有効で、２つ目、４つ目、５つ目のパルスが無効となる場合である。同期信号解析部４０２は、５つのパルスの有無の組み合わせで、複数の同期信号を識別することが可能である。
【００６９】
本実施の形態では、同期信号の例として図６に４つの例を示したが、これに限定するものではない。上記４つ以外にも、上記の４つを任意に組み合わせて構成する同期信号であってもよい。例えば、パルスの数（図６（Ａ））とパルスの長さ（図６（Ｂ））を組み合わせて複数の同期信号を構成、及び、識別するものであってもよい。つまり、本実施の形態の同期信号は、複数の同期信号を識別できる信号体系で構成されていれば、いずれの方法であってもよい。
【００７０】
本実施の形態では、例えば同期信号の波形として図６（Ｂ）に示すように、信号が有効なっている持続期間の長さで、同期信号の種類を識別する場合を説明する。図５（Ｂ）の例では、同期信号５０４は、図６（Ｂ）の第２の同期信号を、同期信号５０６は、図６（Ｂ）の第３の同期信号を、同期信号５０５及び５０７は、図６（Ｂ）に示す規則にしたがった割り当てられるＮ番目の同期信号を示している。
【００７１】
図７は、これらそれぞれの同期信号に持たせる論理的な意味を記したものである。図７の例の場合、第１の同期信号を受信すると、フィルタを１ｍｓ開ける（透過する光量を増大させた状態を１ｍｓ保持する）ことを意味し、第２の同期信号を受信すると３ｍｓ、第３の同期信号を受信すると５ｍｓ、第４の同期信号を受信すると８ｍｓ、それぞれフィルタを開けておくことを意味する。なお、第Ｎの同期信号を受信すると、前回のフィルタ開き時間と同じ分だけ開けることを意味する。
【００７２】
＜４．外部同期信号の解析＞
映像表示装置１００から出力された同期信号５０４、５０５、５０６及び５０７等は、映像視聴用眼鏡１２０の外部同期信号受信部４００により受信される。同期信号検出部４０１は外部同期信号受信部４００による受信された同期信号を検出する。
【００７３】
同期信号検出部４０１は、外部同期信号受信部４００で受信した赤外光を電気信号に変換する。同期信号検出部４０１が生成した電気信号は、同期信号解析部４０２へ出力される。
【００７４】
同期信号解析部４０２は、同期信号検出部４０１により受信検出された同期信号の論理的な意味内容等を解析する。同期信号解析部４０１は入力される電気信号の有効持続期間を計測する。これは、電気信号の有効（ハイレベル電圧等）が持続する時間を、クロック２２２等を基準として計測すれば、取得することができる。
【００７５】
同期信号解析部４０２は、それぞれの同期信号の計測、算出した有効持続期間から、同期信号の種別を判定する。この判定は、映像視聴用眼鏡１２０に予め図６のような同期信号の種類とその論理的な意味との関連性を示した情報を記録しておき、これに照らし合わせることで、同期信号の種類を判別することが可能である。なお、論理信号の種類は、上記以外にも、例えば有効持続期間が長さによって算出的に光学フィルタを開ける時間を決定するものであってもよい。例えば、同期信号の有効持続期間が１０μｓの場合は光学フィルタを１ｍｓ開ける、有効持続期間が２０μｓの場合は、光学フィルタを２ｍｓ開けると、言ったものであっても良い。
【００７６】
同期信号解析部４０２は、さらに、受信した同期信号の時間間隔等から映像の表示周期等も解析する。具体的には、受信した同期信号５０４、５０５、５０６、５０７等から、左目、右目フレームの表示周期を算出する。
【００７７】
図８は、同期信号解析部４０２が、受信した同期信号から、内部同期信号等を生成する（光学フィルタ部を適切な時間タイミングで制御する）ために必要な周期等の各種の情報を算出、解析する一例を示したフローチャートである。
【００７８】
外部同期信号受信部４００は、基準となる同期信号（基準同期信号）を受信する（ステップＳ８０１）。図５（Ｂ）の例では、左目光学フィルタを開けることを意味する同期信号５０４、５０６をこの基準同期信号とする。
【００７９】
外部同期信号受信部４００は、基準同期信号の受信とともに、受信した時刻を記録する（ステップＳ８０２）。この記録は、例えばＣＰＵ２２０がクロック２２２を用いて時刻情報等を取得し、同期情報記憶部４０３等に一時的に記録しておいてもよい。
【００８０】
同期信号解析部４０２は、ステップＳ８０１及びステップＳ８０２で受信された基準同期信号及び、その受信時刻が所定回数分記録されているか否かを判定する（ステップＳ８０３）。なお、所定回数とは、基準同期信号を少なくとも連続して２回受信し、それぞれの基準の同期信号に対応する受信時刻が必要である。
【００８１】
所定回数の受信等が記録されていない場合、ステップＳ８０１へ戻り再度、基準同期信号を受信する。
【００８２】
反対に、所定回数の受信時刻が既に記録されている場合、同期信号解析部４０２は、これらの受信時刻の差分等から基準同期信号の受信間隔５０８を算出する（ステップＳ８０４）。この受信間隔が映像表示部３０３に表示される左右フレームの表示周期となる。なお、上記の通り周期を算出するには、少なくとも連続する２回分の受信時刻の情報が必要であるが、それ以上の受信時刻情報があってもよい。その場合には、同期信号解析部４０２は、受信時刻の差分の平均値をさらに算出することで、より確からしい周期を算出することが可能となる。
【００８３】
同期信号解析部４０２は、ステップＳ８０３で算出した映像信号周期の１／２を、左目フレーム、及び右目フレームそれぞれの周期５０９として算出する（ステップＳ８０５）。
【００８４】
さらに受信した同期信号の種類から、図７の対応関係等に基づいて、光学フィルタを開けている時間を決定する（ステップＳ８０６）。図５（Ｂ）の場合、同期信号５０４に対する左目光学フィルタ開き時間は、３ｍｓ（時間５１０）となる。また同期信号５０５に対する右目光学フィルタ開き時間は、同期信号５０５が第Ｎの同期信号となるため、その前の対応する左目光学フィルタと同様の開き時間と同じ時間である。すなわち、この場合、右目光学フィルタの開き時間も、３ｍｓ（時間５１０）となる。
【００８５】
同期信号解析部４０２は、上記各ステップで算出した周期、及びタイミングの情報を同期情報記憶部４０３に記録する（ステップＳ８０７）。
【００８６】
以上の算出手順により、映像視聴用眼鏡１２０は、映像表示装置１００から左右それぞれの映像に一つの同期信号を送信するだけで、光学フィルタ部４０６の左右の光学フィルタを適切に開閉制御することが可能となる。特に、送信される同期信号に論理的な情報をもたせることで、光学フィルタを継続して開けている時間を映像表示装置１００から映像視聴用眼鏡１２０へ伝達することが可能となり、わざわざ光学フィルタを閉じるタイミングで、別途の同期信号を送受信する処理を省略できる。
【００８７】
＜５．内部同期信号の生成と光学フィルタ制御＞
内部同期信号生成部４０４は、同期情報記憶部４０３に記録された周期、及びタイミング等に基づいて、映像視聴用眼鏡１２０内部で同期信号を生成する。図５（Ｃ）は、内部同期信号生成部４０４が生成した、映像視聴用眼鏡１２０内部の内部同期信号の例である。
【００８８】
光学フィルタ制御部４０５は、内部同期信号生成部４０４が生成した内部同期信号に基づいて、光学フィルタ部４０６の左目用フィルタ、右目用フィルタを制御する。
【００８９】
具体的には、光学フィルタ制御部４０５は、内部同期信号Ａを基準として左目の光学フィルタを制御し、透過する光の量を増大させる。内部同期信号Ａから、図６のステップＳ８０６で算出した左目フレームの時間５１０が経過したタイミング（内部同期信号Ｃ）で左目の光学フィルタを制御し、透過する光の量を減少させる。そして、内部同期信号Ｂにより、右目の光学フィルタを制御して、右目へ透過する光の量を増大させる。左目と同様に、内部同期信号Ｂから、Ｓ８０６で算出した右目フレームの時間５１０が経過した後に、右目の光学フィルタを制御し、透過する光の量を減少させる。
【００９０】
これにより、映像視聴用眼鏡１２０は、映像表示装置１００から送信された同期信号に基づいて、左右の光学フィルタを制御し、透過する光の量を増大、減少等の制御を映像表示部３０３の表示と同期して行うことが可能となる。
【００９１】
以上の結果、本実施の形態の映像表示装置１００、及び、映像視聴用眼鏡１２０は、映像と光学フィルタの同期を、左右それぞれの映像フレームに一つの同期新信号で、光学フィルタを制御することが可能となる。これは、光学フィルタの開閉を個々の同期信号で伝達する方法より低頻度の同期信号送受信で、映像表示装置と映像視聴用眼鏡の同期を実現することが可能となる。つまり、扱う同期信号の種類が少なくなったことにより、同期信号の検出、解析等を比較的簡単に行うことが可能となり、また同期信号の送受信が低頻度となったことで他の機器との混信の可能性を減らすことも可能となる。
【００９２】
また、左右の光学フィルタの開閉を切り換える方法と比較して、同期信号に光学フィルタを開けている時間等の同期制御に関する情報を本実施の形態では含めているため、同期制御をより高精度に行うことが可能である。
【００９３】
なお、上記の例では、ステップＳ８０４で映像信号の周期５０８を算出していたが、映像周期が予め固定で定まっている場合は、これらの処理を省略して、映像視聴用眼鏡１２０は、固定の周期を用いて、タイミング等を算出するものであってもよい。
【００９４】
また、ステップＳ８０３で、より周期の精度を高めるために複数回の同期信号の受信を用いる例も示したが、本実施の形態はこれらに限定するものではない。映像信号の周期が予め定められた複数の周期から選択する場合、例えば、９６Ｈｚ、１００Ｈｚ、１２０Ｈｚ、１４４Ｈｚの４種類の周期から選択する場合、受信した２つの連続した基準同期信号から算出した受信時刻の差分と、上記の選択可能な４種類の周期と、を比較してもっとも確からしい周期を選択するものであってもよい。
【００９５】
なお、本実施の形態では、映像視聴装置１００から映像視聴用眼鏡１２０への同期信号は、左目、右目用光学フィルタを開ける（透過する光量を増大させる）場合を例として説明したが、これに限定するものではない。他の例として、（１）左右の光学フィルタを閉める（透過する光量を減少させる）際に同期信号を用いる場合、（２）左目の光学フィルタを開ける際と、右目光学フィルタを閉める際に同期信号を用いる場合、（３）右目光学フィルタを閉める際と、左目高額フィルタを開ける際に同期信号を用いる場合のいずれの場合であってもよい。
【００９６】
（第２の実施の形態）
本実施の形態では、第１の実施の形態の場合と比較して、より同期信号の送受信を間歇した場合の例を示す。図９は、本実施の形態における映像信号と同期信号の関係を示したものである。
【００９７】
第１の実施の形態では、左右のそれぞれの光学フィルタを制御して、透過する光量を増大させるタイミングを同期信号で通知するものである。本実施の形態では、左右の一方の光学フィルタの制御タイミングでのみ同期信号を送受信する。
【００９８】
図９（Ａ）は、図５（Ａ）と同様に、映像表示部３０３に表示されるフレームの順序を示したものである。
図９（Ｂ）は、本実施の形態における映像表示装置１００から出力される同期信号の例を示したものである。図９（Ｂ）では、図９（Ｂ）の場合と比較して、左フレームに対応する光学フィルタの制御のタイミングでのみ同期信号が送受信され、右目フレームに対応する同期信号が無い点が異なる。
【００９９】
この場合、同期信号解析部４０２は、左右の光学フィルタを基本的に同じ動作をさせる。すなわち、同期信号９０４に含まれる左目用の光学フィルタを開けている時間を、そのまま右目用の光学フィルタにも用いる。光学フィルタを開けている時間は、第１の実施の形態で説明したように、映像表示装置１００から受信する同期信号９０４、９０５の有効期間の幅（継続時間）に基づいて光学シャッタを開けている時間を決定する（図７等）。この決定された時間を左右対称に適応する。
【０１００】
なお、本実施の形態では、第１の実施の形態と異なり、右目用光学フィルタを開けるタイミングで同期信号が映像表示装置から送信されない。そのため、同期信号解析部４０２は、受信した同期信号９０４、９０６等から左右の映像周期を算出し（ステップＳ８０４）、この周期の１／２（９０７）を左右、それぞれの周期とする（ステップＳ８０５）。そして、右目の光学フィルタを開けるタイミングは、左目の光学フィルタを開けてから、ステップＳ８０５で算出した周期の時間経過後と設定すればよい。これにより、右目の光学フィルタを開ける時間が、内部同期信号Ｂ（９０９）として決定することができる。
【０１０１】
以上により、本実施の形態によれば、光学フィルタの開閉を個々の同期信号で伝達する方法より低頻度の同期信号送受信で、映像表示装置と映像視聴用眼鏡の同期を実現することが可能となる。
【０１０２】
また、左右の光学フィルタの開閉を切り換える方法と比較して、同期信号に光学フィルタを開けている時間等の同期制御に関する情報を本実施の形態では含めているため、同期制御をより高精度に行うことが可能である。
【０１０３】
なお、本実施の形態では、映像表示装置１００からの同期信号を、左目の光学フィルタを開けるタイミングで送信する場合を説明したが、本実施の形態はこれに限定するものではない。他の方法として、（1）左目の光学フィルタを閉じる（透過する光量を減少させる）際に同期信号を用いる場合、（２）右目の光学フィルタを開ける（透過する光量を増大させる）際に同期信号を用いる場合、（３）右目の光学フィルタを閉める際に同期信号を用いる場合のいずれのものであってもよい。
【０１０４】
（第３の実施の形態）
本実施の形態では、左右で光学フィルタを開ける時間が独立するような場合について示す。
【０１０５】
本実施の形態では、映像表示装置１００から映像視聴用眼鏡１２０への同期信号は、それぞれの光学フィルタを開ける（透過する光量を増大させる）タイミングで送信される。
【０１０６】
さらに、送信される同期信号は、図１１に示すように、各同期信号毎に、対応する光学フィルタと空き時間が予め決められている。例えば、第１の同期信号は、左目用の光学フィルタを受信から１ｍｓ開ける、第６の同期信号は、右目用の光学フィルタを受信から３ｍｓ開けるなどである。
【０１０７】
同期信号解析部４０２は受信した同期信号からそれぞれの光学フィルタ制御内容を図１１の内容等に基づいて決定する。
【０１０８】
このように、映像表示装置１００から映像視聴用眼鏡１２０へ送信する同期信号、個々に、制御内容を予め定めていると、左右の光学フィルタを独立して制御することが求められる場合等の高度な光学フィルタの制御を行うことが可能となる。
【０１０９】
つまり、本実施の形態に示す方法によれば、光学フィルタの高度な制御と、同期信号送受信を比較的、簡素化することの両方が可能となる。
【０１１０】
本実施の形態の場合の、映像表示、同期信号送受信、内部同期信号の生成、光学フィルタの制御の関係を図１０に示す。なお、左右映像のフレームの周期、左右それぞれの周期等は、第１又は第２の実施の形態と同様であるので、説明を省略する。
【０１１１】
なお、本実施の形態でも、光学フィルタを開けるタイミングで同期信号の送受信を行っている場合を説明したが、本実施の形態はこれに限定するものではない。光学フィルタを閉じる（透過する光量を減少させる）タイミングで同期信号を送受信するものであってもよい。
【０１１２】
第１から第３の実施の形態では、映像表示装置と映像視聴用眼鏡等のハードウェア構成を用いて説明してきたが、上記の実施の形態はこれに限定するものではない。上記の実施の形態で説明した内容を、ＣＰＵを用いたプログラムとして実現することも可能である。この場合は、図２等で示した復号ＩＣ２００，映像信号処理ＩＣ２０１，送信制御ＩＣ２０２、ＣＰＵ２０３、や、ＣＰＵ２２０等で処理する内容をＣＰＵ上で動作するプログラムとして実現することも可能である。
【０１１３】
また、第１から第３の実施の形態に示した内容を映像表示装置、及び、映像視聴用眼鏡の制御方法として実現することも可能である。この場合は、映像表示装置、映像視聴用眼鏡のハードウェア構成に関わらず、上記説明の内容を実現できるものであれば、いずれの装置であってもよい。つまり、それらの装置で、上記の実施の形態で示した制御方法を実現できるものであればいずれの装置であってもよい。
【０１１４】
また第１から第３の実施の形態では、光学フィルタを開けている時間等を制御する情報を同期信号に含める場合を例として説明したが、本実施の形態はこれに限定するものではない。光学フィルタを開けている時間に関する情報以外の同期制御に関する情報（同期制御情報）であってもよい。また、その他の同期信号に含める情報として、例えば、左右映像の周期情報や、立体映像であるか否かの情報等、を有するものであってもよい。つまり、同期信号には、映像表示装置の情報、表示される映像の情報、映像表示装置と映像視聴用眼鏡との同期制御に関する情報、映像視聴用眼鏡を制御するための情報等、各種の情報を含めるものであって良い。
【０１１５】
また、第１から第３の実施の形態において、映像表示装置から映像視聴用眼鏡へ送信する同期信号は、図６（Ｂ）に示したようなパルスの有効期間の長さで、同期信号の種類を区別するものであって、上記実施の形態はこれに限定するものではない。例えば、図６（Ｂ）の変わりに図６（Ｃ）のような２つのパルスの間の時間で同期信号の種類を区別するものであってもよい。
【０１１６】
また、第１から第３の実施の形態において、映像表示装置から映像視聴用眼鏡へ送信する同期信号を、図６（Ｂ）を利用した図１２のような同期信号とすることも可能である。図１２の同期信号は図６（Ｂ）で説明した、同期信号の種類毎に信号の有効時間６０１、６０２、６０３、６０４が異なる信号を用い、その前後に信号検出用の所定のパルス１２０６、１２０７を付加したものである。これにより、映像視聴用眼鏡１２０は、パルス１２０６を最初に検出することで、同期信号の開始を確認し、それに続く、同期信号の有効時間１２０１、１２０２、１２０３、１２０４、１２０５等を検出する。その後、同期信号の種類を通知するパルス１２０７により、同期信号の送受信が終了することを検出する。
【０１１７】
これにより、映像視聴用眼鏡１２０は、同期信号の開始と終了を明示的に判別することができる。また、ノイズ等が入力した場合と、同期信号を受信した場合とを識別することが容易とすることが可能となる。
【産業上の利用可能性】
【０１１８】
本出願に記載の発明は、テレビ等の映像表示装置と、テレビに表示された映像を視聴するために用いられる視聴用眼鏡等などに利用することが可能である。
【符号の説明】
【０１１９】
１００    映像表示装置
１１０    同期信号送信部
１２０    映像視聴用眼鏡
１３０    同期信号受信部
２００    復号ＩＣ
２０１    映像信号処理ＩＣ
２０２    送信制御ＩＣ
２０３、２２０    ＣＰＵ
２０４、２２１    メモリ
２０５、２２２    クロック
２０６    ディスプレイパネル
２０７    赤外線発光素子
２２３    赤外線受光素子
２２４    光学フィルタ
３００    映像復号部
３０１    Ｌ／Ｒ信号分離部
３０２    立体信号処理部
３０３    映像表示部
３０４    同期信号生成部
３０５    送信制御部
３０６    同期信号送信部
４００    外部同期信号受信部
４０１    同期信号検出部
４０２    同期信号解析部
４０３    同期情報記憶部
４０４    内部同期信号生成部
４０５    光学フィルタ制御部
４０６    光学フィルタ部
【図１】
2011015191.tif 000003
【図２】
2011015191.tif 000004
【図３】
2011015191.tif 000005
【図４】
2011015191.tif 000006
【図５】
2011015191.tif 000007
【図６】
2011015191.tif 000008
【図７】
2011015191.tif 000009
【図８】
2011015191.tif 000010
【図９】
2011015191.tif 000011
【図１０】
2011015191.tif 000012
【図１１】
2011015191.tif 000013
【図１２】
2011015191.tif 000014